【手続補正書】
【提出日】平成24年1月19日(2012.1.19)
【手続補正１】
【補正対象書類名】特許請求の範囲
【補正対象項目名】全文
【補正方法】変更
【補正の内容】
【特許請求の範囲】
【請求項１】
太陽からの光を導入するための採光手段と、前記採光手段からの光をその内面で反射させながら所定方向へ導く筒状の導光手段と、前記導光手段により導かれた光を屋内に照射する照射手段と、を備えた採光装置において、
前記採光手段はドーム部材及び取付部材を備え、前記取付部材は、基台部と、前記基台部から延びる筒状の支持部とから構成され、前記導光手段の一端部には、前記支持部の開口部に装着される固定部材が設けられ、その他端部には前記照射手段が装着され、前記ドーム部材には前記支持部の開口部に支持される段差部が設けられ、前記ドーム部材の前記段差部は前記固定部材に載置固定されることを特徴とする採光装置。
【請求項２】
太陽からの光を導入するための採光手段と、前記採光手段からの光をその内面で反射させながら所定方向へ導く筒状の導光手段と、前記導光手段により導かれた光を屋内に照射する照射手段と、を備えた採光装置において、
前記導光手段に関連して照明手段が設けられ、前記照明手段は、前記導光手段の外側部に取り付けられた支持部材と、前記支持部材の内側部に設けられた光源と、を備え、前記支持部材は、筒状の取付支持部と、前記取付支持部より径方向外方に傘状に延び前記採光手段側から前記照射手段側に横断面積が拡大される拡大部とを有し、前記取付支持部の外面と前記拡大部の内面にはそれぞれ反射面が形成されていることを特徴とする採光装置。
【請求項３】
前記固定部材には空気流入用凹部が設けられており、前記採光手段は、前記空気流入用凹部を通して外部と連通されていることを特徴とする請求項１又は２に記載の採光装置。
【請求項４】
屋根に設けられて太陽からの光を導入するための採光手段と、前記採光手段からの光をその内面で反射させながら所定方向へ導く筒状の導光手段と、前記導光手段により導かれた光を屋内に照射する照射手段と、を備えた採光装置において、
前記採光手段はドーム部材並びに第１及び第２取付部材を備え、前記第１取付部材は、前記屋根に取り付けられる第１基台部と、前記第１基台部から上方に延びる第１支持部とから構成され、前記第２取付部材は、前記第１取付部材の前記第１支持部の開口部に取り付けられる第２基台部と、前記第２基台部から上方に延びて前記ドーム部材を支持するための第２支持部とから構成され、前記第１支持部の上流側における前記第１基台部には平坦部が形成され、また前記第１基台部の一端部は、前記第１基台部に隣接してその上側に敷設された屋根材の形状に対応した形状を有し、前記第１基台部の両側端部は、前記第１基台部に隣接してその両側に敷設された屋根材の形状に対応した形状を有することを特徴とする採光装置。
【請求項５】
前記第１支持部の上流側は、円弧状又は三角状に構成されていることを特徴とする請求項４に記載の採光装置。
【請求項６】
前記第１支持部は菱形状に構成され、前記第１支持部の上流側角部と前記第１基台部との接続部は、凹状に湾曲されていることを特徴とする請求項５に記載の採光装置。
【請求項７】
屋根に貫通孔を穿設した際に生じる屑を受けるための受け部材を用いて、屋根に貫通孔を穿設する屋根の貫通孔穿設方法であって、
前記屋根の所定部位に貫通孔を穿設し、前記受け部材により前記貫通孔を下方より覆うようにして、前記貫通孔を通して前記受け部材を支持し、かかる状態にて前記貫通孔を更に拡径させることを特徴とする屋根の貫通孔穿設方法。
【請求項８】
前記受け部材は傘状受け部材から構成され、前記傘状受け部材は、シャフト部と、前記シャフト部に開閉自在に取り付けられた複数の傘骨部と、前記複数の傘骨部に張られたシート部と、を備え、前記複数の傘骨部は、前記シャフト部から径方向外方に放射状に延びる開状態と、前記シャフト部に沿って折り畳まれる閉状態とに保持され、
前記屋根の所定部位に貫通孔を穿設し、前記屋根の前記貫通孔を穿設した個所に支持アーム部材を設置し、その後、前記複数の傘骨部を前記閉状態に保持して前記傘状受け部材を前記貫通孔を通して屋内に挿入し、前記複数の傘骨部を前記閉状態から前記開状態に保持させて前記シート部により前記貫通孔を下方より覆うようにして、前記貫通孔を通して前記傘状受け部材を前記支持アーム部材に取り付けて支持させ、かかる状態にて前記貫通孔を更に拡径させ、更にその後、前記複数の傘骨部を前記開状態から前記閉状態に保持させて前記傘状受け部材を前記貫通孔を通して屋外に取り出すことを特徴とする請求項７に記載の屋根の貫通孔穿設方法。
【請求項９】
前記屋根に貫通孔を穿設した際に生じる屑を受けるためのロッド状受け部材を更に用い、前記ロッド状受け部材は、ロッド部と、前記ロッド部の先端部に設けられた受け部と、を備え、
前記屋根の所定部位に貫通孔を穿設する際には、前記ロッド状受け部材の前記受け部により前記屋根の前記所定部位を下方より覆うことを特徴とする請求項８に記載の屋根の貫通孔穿設方法。
【手続補正２】
【補正対象書類名】明細書
【補正対象項目名】０００９
【補正方法】変更
【補正の内容】
【０００９】
また、本発明の請求項２に記載の採光装置では、太陽からの光を導入するための採光手段と、前記採光手段からの光をその内面で反射させながら所定方向へ導く筒状の導光手段と、前記導光手段により導かれた光を屋内に照射する照射手段と、を備えた採光装置において、
前記導光手段に関連して照明手段が設けられ、前記照明手段は、前記導光手段の外側部に取り付けられた支持部材と、前記支持部材の内側部に設けられた光源と、を備え、前記支持部材は、筒状の取付支持部と、前記取付支持部より径方向外方に傘状に延び前記採光手段側から前記照射手段側に横断面積が拡大される拡大部とを有し、前記取付支持部の外面と前記拡大部の内面にはそれぞれ反射面が形成されていることを特徴とする
さらに、本発明の請求項３に記載の採光装置では、前記固定部材には空気流入用凹部が設けられており、前記採光手段は、前記空気流入用凹部を通して外部と連通されていることを特徴とする。
【手続補正３】
【補正対象書類名】明細書
【補正対象項目名】００１３
【補正方法】変更
【補正の内容】
【００１３】
更に、本発明の請求項７に記載の屋根の貫通孔穿設方法では、屋根に貫通孔を穿設した際に生じる屑を受けるための受け部材を用いて、屋根に貫通孔を穿設する屋根の貫通孔穿設方法であって、
前記屋根の所定部位に貫通孔を穿設し、前記受け部材により前記貫通孔を下方より覆うようにして、前記貫通孔を通して前記受け部材を支持し、かかる状態にて前記貫通孔を更に拡径させることを特徴とする。
更に、本発明の請求項８に記載の屋根の貫通孔穿設方法では、前記受け部材は傘状受け部材から構成され、前記傘状受け部材は、シャフト部と、前記シャフト部に開閉自在に取り付けられた複数の傘骨部と、前記複数の傘骨部に張られたシート部と、を備え、前記複数の傘骨部は、前記シャフト部から径方向外方に放射状に延びる開状態と、前記シャフト部に沿って折り畳まれる閉状態とに保持され、
前記屋根の所定部位に貫通孔を穿設し、前記屋根の前記貫通孔を穿設した個所に支持アーム部材を設置し、その後、前記複数の傘骨部を前記閉状態に保持して前記傘状受け部材を前記貫通孔を通して屋内に挿入し、前記複数の傘骨部を前記閉状態から前記開状態に保持させて前記シート部により前記貫通孔を下方より覆うようにして、前記貫通孔を通して前記傘状受け部材を前記支持アーム部材に取り付けて支持させ、かかる状態にて前記貫通孔を更に拡径させ、更にその後、前記複数の傘骨部を前記開状態から前記閉状態に保持させて前記傘状受け部材を前記貫通孔を通して屋外に取り出すことを特徴とする。
更に、本発明の請求項９に記載の屋根の貫通孔穿設方法では、前記屋根に貫通孔を穿設した際に生じる屑を受けるためのロッド状受け部材を更に用い、前記ロッド状受け部材は、ロッド部と、前記ロッド部の先端部に設けられた受け部と、を備え、
前記屋根の所定部位に貫通孔を穿設する際には、前記ロッド状受け部材の前記受け部により前記屋根の前記所定部位を下方より覆うことを特徴とする。
【手続補正４】
【補正対象書類名】明細書
【補正対象項目名】００２０
【補正方法】変更
【補正の内容】
【００２０】
さらに、本発明の請求項７に記載の屋根の貫通孔穿設方法によれば、受け部材により屋根に貫通孔を穿設した際に生じる屋根材の破片などの屑を受けるので、この屑が屋内に落下するのを防止することができ、安全性を高めることができるとともに、屋内が屑により汚損されるのを防止することができる。また、請求項８に記載の屋根の貫通孔穿設方法によれば、受け部材は、複数の傘骨部が開閉自在に構成されているので、複数の傘骨部を閉状態に保持することによって受け部材を貫通孔を通して屋内に容易に挿入することができ、また複数の傘骨部を開状態に保持することによってシート部により貫通孔を下方より確実に覆うことができる。また、請求項９に記載の屋根の貫通孔穿設方法によれば、ロッド状受け部材は、ロッド部の先端部に受け部が設けられた構成であるので、屋内には少なくともロッド部を把持した作業員一人が立つ作業スペースを確保できればよく、屋内での作業性を高めることができる。